【手続補正書】
【提出日】平成19年10月12日(2007.10.12)
【手続補正１】
【補正対象書類名】明細書
【補正対象項目名】特許請求の範囲
【補正方法】変更
【補正の内容】
【特許請求の範囲】
【請求項１】  ワイヤレス通信システム中で使用するための基地局において、
通信システムの複数のキャリアに割り当てられる信号に対する処理動作を提供するための複数のチャネルエレメントを各々が含む複数のチャネルユニットボードを有し、少なくとも１つのチャネルユニットボードのチャネルエレメントのうち少なくとも一部の各々が、前記システムの複数のキャリアの各々に割当て可能である
ことを特徴とする基地局。
【請求項２】  前記チャネルユニットボードの各々は、前記複数のキャリアの各々に対する１組のデジタル同相（Ｉ）および直交（Ｑ）信号を生成する
ことを特徴とする請求項１記載の基地局。
【請求項３】  前記チャネルユニットボードの少なくとも１つが、前記複数のキャリアのうちの所定の１つに関連づけられたＩおよびＱ信号バスへ前記チャネルエレメントのうちの所定の１つを接続するように動作可能なマルチプレクサを含む
ことを特徴とする請求項２記載の基地局。
【請求項４】  前記チャネルユニットボードのうちの所定の１つにより前記キャリアのうちの所定の１つに対して生成される前記ＩおよびＱ信号は、他のチャネルユニットボードにより前記所定のキャリアに対して生成されるＩおよびＱ信号と、別のチャネルユニットボードの中で結合される
ことを特徴とする請求項３記載の基地局。
【請求項５】  前記チャネルユニットボードのうち少なくとも一部のチャネルユニットボードの各々は、総数Ｎ個のチャネルエレメントを含み、前記チャネルエレメントの各々は、前記システムのＮ個までのキャリアのうちの１つに割当てられ得る
ことを特徴とする請求項１記載の基地局。
【請求項６】  前記システムの前記複数のキャリアへの前記チャネルユニットボードの前記チャネルエレメントの割当てを制御するための１つまたは複数の制御信号を生成するように動作可能な制御コンピュータをさらに有する
ことを特徴とする請求項１記載の基地局。
【請求項７】  前記ワイヤレス通信システムは、ＩＳ−９５Ａ標準、ＩＳ−９５Ｂ標準、直交伝送ダイバシティ（ＯＴＤ）を伴うＩＳ−９５Ｃ標準、ＯＴＤなしのＩＳ−９５Ｃ標準、マルチキャリア（ＭＣ）ｃｄｍａ２０００標準、およびユニバーサル移動通信システム（ＵＭＴＳ）標準のうちの少なくとも１つに従って動作する符号分割多元接続（ＣＤＭＡ）通信システムである
ことを特徴とする請求項１記載の基地局。
【請求項８】  ワイヤレス通信システム中で使用するための基地局を具現化する方法であって、前記基地局が、前記通信システムの複数のキャリアに割り当てられた信号に対する処理動作を提供するための複数のチャネルエレメントを各々が含む複数のチャネルユニットボードを有するものにおいて、
チャネルユニットボードの異なるチャネルエレメントが前記システムの異なるキャリアに割り当てられるように、チャネルユニットボードのうちの少なくとも１つのもつチャネルエレメントを、前記システムの複数のキャリアのうちの指定されたキャリアに制御可能に割当てるステップを有する
ことを特徴とする方法。
【請求項９】  前記チャネルユニットボードの各々は、複数のキャリアの各々に対する１組のデジタルＩおよびＱ信号を生成する
ことを特徴とする請求項８記載の方法。
【請求項１０】  チャネルユニットボードのうちの少なくとも１つが、チャネルエレメントのうちの所定の１つを、複数のキャリアのうちの所定の１つに関連づけられたＩおよびＱ信号バスへ接続するように動作可能なマルチプレクサを含む
ことを特徴とする請求項９記載の方法。
【請求項１１】  前記チャネルユニットボードのうちの所定の１つにより前記キャリアの所定の１つに対して生成されるＩおよびＱ信号は、他のチャネルユニットボードにより前記所定のキャリアに対して生成されたＩおよびＱ信号と、別のチャネルユニットボード内で結合される
ことを特徴とする請求項１０記載の方法。
【請求項１２】  前記チャネルユニットボードのうち少なくとも一部のチャネルユニットボードの各々が、総数Ｎのチャネルエレメントを含み、前記チャネルエレメントの各々が、前記システムのＮ個までのキャリアのうちの１つに割当てられ得る
ことを特徴とする請求項８記載の方法。
【請求項１３】  前記割当てるステップは、少なくとも一部において、前記システムの前記複数のキャリアへのチャネルユニットボードのチャネルエレメントの割当てを制御するための１つまたは複数の制御信号を生成するように動作可能な制御コンピュータを使用して実行される
ことを特徴とする請求項８記載の方法。
【請求項１４】  前記ワイヤレス通信システムは、ＩＳ−９５Ａ標準、ＩＳ−９５Ｂ標準、ＯＴＤを伴うＩＳ−９５Ｃ標準、ＯＴＤなしのＩＳ−９５Ｃ標準、ＭＣｃｄｍａ２０００標準、およびＵＭＴＳ標準のうちの少なくとも１つに従って動作するＣＤＭＡ通信システムである
ことを特徴とする請求項８記載の方法。
【請求項１５】  ワイヤレス通信システムの基地局の設定に使用するための１つまたは複数のプログラムを格納するための機械読み出し可能な記憶媒体を含む製品であって、前記基地局は、前記通信システムの複数のキャリアに割り当てられる信号に対する処理動作を提供するための複数のチャネルエレメントを各々が含む複数のチャネルユニットボードを有するものにおいて、
前記１つまたは複数のプログラムは、実行される際、前記チャネルユニットボードの異なるチャネルエレメントが前記システムの異なるキャリアに割り当てられるように、前記チャネルユニットボードの少なくとも１つのもつチャネルエレメントを、前記システムの前記複数のキャリアのうちの指定されたキャリアに制御可能に割当てるステップを実行する
ことを特徴とする製品。
【請求項１６】  ワイヤレス通信システム中で使用するための基地局において、
前記通信システムの複数のキャリアに割り当てられた信号に対する処理動作を提供するための複数のチャネルエレメントを各々が含む複数のチャネルユニットボードと、
前記複数のチャネルユニットボードの少なくとも一部に結合された制御コンピュータとを有し、
前記チャネルユニットボードのうちの少なくとも１つのもつチャネルエレメントの少なくとも一部の各々が、前記システムの前記複数のキャリアの各々に割当て可能であり、前記制御コンピュータは、前記チャネルユニットボードのチャネルエレメントを前記システムのキャリアのうち特定のキャリアに割り当てるように動作可能である
ことを特徴とする基地局。
【請求項１７】  ワイヤレス通信システム中で使用するための基地局において、
前記通信システムの複数のキャリアに割り当てられる信号に対する処理動作を提供するための複数のチャネルエレメントと、
マルチキャリアチャネルプーリング構成を具現化するように、前記システムの複数のキャリアの各々に、前記チャネルエメントの少なくとも一部からの信号を割り当てるように動作可能なマルチプレクサとを有する
ことを特徴とする基地局。
【請求項１８】  ワイヤレス通信システム中で使用するための基地局を具現化する方法であって、前記基地局は、前記通信システムの複数のキャリアに割り当てられる信号に対する処理動作を提供するための複数のチャネルエレメントを含む方法において、
マルチキャリアチャネルプーリング構成を具現化するように、前記システムの複数のキャリアのうちの指定されたキャリアに、前記チャネルエメントを制御可能に割り当てるステップを有する
ことを特徴とする方法。
【請求項１９】  ワイヤレス通信システム中で使用するための基地局において、
前記システムにより送信される信号に対する処理動作を提供するための複数のチャネルエレメントを各々が含む複数のチャネルユニットボードと、
前記複数のチャネルユニットボードの少なくとも一部に結合された制御可能な信号コンバイナエレメントとを有し、
前記制御可能な信号コンバイナエレメントは、前記システムの複数のキャリアのうちの１つまたは複数における送信のために、前記チャネルユニットボードのうちの所定の１つのもつチャネルエレメントの少なくとも一部の各々からの信号の割り当てを実施する
ことを特徴とする基地局。
【請求項２０】  前記制御可能な信号コンバイナエレメントは、
前記チャネルユニットボードのうちの所定の１つに関連づけられ、各々が複数の入力を有し、前記入力の各々が、前記所定のチャネルユニットボードの複数のチャネルエレメントのうちの特定の１つの出力に結合されている１組の制御可能な信号コンバイナと、
複数の入力を有し、前記入力の各々が、制御可能な信号コンバイナのうちの対応する１つの出力に結合されたマルチキャリアコンバイナをさらに有し、前記マルチキャリアコンバイナは、複数のチャネルユニットボードのうちの別のもののバス出力に結合された追加の入力を有し、システム送信バス上に１組の出力を生成する
ことを特徴とする請求項１９記載の基地局。
【請求項２１】  前記チャネルユニットボードの各々は、前記複数のキャリアの各々に対する１組のデジタル同相（Ｉ）および直交（Ｑ）信号を生成する
ことを特徴とする請求項１９記載の基地局。
【請求項２２】  前記チャネルユニットボードの少なくとも一部の各々は、総数Ｎのチャネルエレメントを含み、前記チャネルエレメントの各々は、前記システムのＮ個までのキャリアのうちの１つに割り当てられ得る
ことを特徴とする請求項１９記載の基地局。
【請求項２３】  前記システムの前記複数のキャリアのうちの１つまたは複数に対する所定のチャネルユニットボードのチャネルエレメントの少なくとも一部の各々の割当てを制御できるように、制御可能な信号コンバイナおよびマルチキャリアコンバイナに与えるための１つまたは複数の制御信号を生成するように動作可能な制御コンピュータをさらに含む
ことを特徴とする請求項１９記載の基地局。
【請求項２４】  ワイヤレス通信システム中で使用するための基地局において、
前記システムにより受信される信号に対する処理動作を提供するための複数のチャネルエレメントを各々が含む複数のチャネルユニットボードと、
前記チャネルユニットボードのうちの所定の１つに関連づけられて、前記システムの受信バスに関連づけられた１組の信号を入力として受信し、前記所定のチャネルユニットボードのチャネルエレメントのうちの１つの対応する入力に各々が結合された複数の出力を有する制御可能なセレクタとを有し、
前記制御可能なセレクタは、前記所定のチャネルユニットボードのチャネルエレメントの少なくとも一部の各々に対する前記システムの複数のキャリアの各々から受信された信号の割当てを実行する
ことを特徴とする基地局。
【請求項２５】  前記チャネルユニットボードの各々は、前記複数のキャリアの各々に対する１組のデジタル同相（Ｉ）および直交（Ｑ）信号を処理する
ことを特徴とする請求項２４記載の基地局。
【請求項２６】  前記チャネルユニットボードの少なくとも一部の各々は、総数Ｎのチャネルエレメントを含み、前記チャネルエレメントの各々は、前記システムのＮ個のまでのキャリアのうちの１つに割り当てられ得る
ことを特徴とする請求項２４記載の基地局。
【請求項２７】  前記システムの前記複数のキャリアの各々から受信された信号の、前記所定のチャネルユニットボードのチャネルエレメントの少なくとも一部の各々に対する割当てを制御できるように、前記制御可能なセレクタへ与えるための１つまたは複数の制御信号を生成するように動作可能な制御コンピュータをさらに有する
ことを特徴とする請求項２４記載の基地局。